(57)【要約】【要約書】【課題】  凝りの治療中指圧による凝りの逃げや凝りの大きさに対応しての調整道具管理上の煩わしさを無くして快適に指圧することが出来る調整道具の提供にある。【解決手段】  両端を中央より細くなるよう曲面にて形成した円柱体からなる握り体２の中央に、先端が半球の指圧部７を設けた標準用指圧棒５をＴ字形となるよう突設し、一端に円錐形で先端が標準用指圧棒５の指圧部７の半球より半径が小さい半球とし嘴状の指圧部９を設けた細部用指圧棒８を突設し、他端に先端が標準用指圧棒５の指圧部７の半球より半径が大きい半球の指圧部１１を設けた広部用指圧棒１０を突設して調整道具１を形成し、指圧部以外の全周表面に滑止４を設けたものである。【選択図】図１
0003129267.tif 000002
【実用新案登録請求の範囲】
【請求項１】
金属からなり、中央付近を膨らませ両先端を中央より細くなるよう曲面にて形成した円柱体からなる握り体の中央に、先端を元端より細くした丸棒からなる本体先端に先端が曲面としてなる指圧部を設けた標準用指圧棒をＴ字形となるよう突設し、一端に円錐形で先端が標準用指圧棒の指圧部の曲面より小さい曲面とし嘴状としてなる指圧部を設けた細部用指圧棒を突設し、他端に先端が標準用指圧棒の指圧部の曲面より大きい曲面としてなる指圧部を設けた広部用指圧棒を突設して一体としたことを特徴とする指圧による筋肉の調整道具。
【請求項２】
指圧部以外の全周表面に滑止を設けてなる請求項１記載の指圧による筋肉の調整道具。
【請求項３】
細部用指圧棒の指圧部を標準用指圧棒と反対方向に僅少屈設してなる請求項１記載の指圧による筋肉の調整道具。
【考案の詳細な説明】
【技術分野】
【０００１】  本考案は、指圧或は擦ったりして人体に出来た凝りを無くし、正常な健康体に戻すために用いる指圧による筋肉の調整道具に関するものである。
【背景技術】
【０００２】  過度の使用や急激な運動や変則的な使用によって筋肉がこって固まりのようになって出来る凝りの除去には、投薬・湿布・注射・指圧・灸等色々の治療法がある。
その中でも一般的な治療としてその多くは指圧が行なわれ、そのための道具として色々なものが考えられて用いられている。【０００３】  普通一般家庭では、木製からなる一本の指圧棒から指圧棒数本を一組として突起状に組合せ人体の下に設け体重を掛けて指圧するようにしたものが用いられている。
又、整体・整骨等の専門分野では、図４に示す如く円台からなる握り体に指圧棒を突設して一体とした金属からなる調整道具を用いていた。
このように指圧には色々な道具が用いられているが、特に調整道具に於いては一種類ではなく凝りの大きさや発生する場所によって使い分けが出来るよう指圧棒先端部の大きさを異なるようにした数種類のを一組として用いるようにしている。
【考案の開示】
【考案が解決しようとする課題】
【０００４】  このように指圧に用いる道具も色々有るが、一般家庭で用いる木製の指圧棒類は長さも１２ｃｍ未満のものが多く手頃であるが、指圧の時には指圧者が相当の力を加えないと出来た凝りを無くすことが出来ず、而も指圧出来る深さも人体表面の浅い所までしか行なえないと共に、指圧中凝りの硬さ或は痛みによって凝りが逃げて指圧棒が凝りから外れてしまいその効果を十分に発揮することが出来ない。【０００５】  そして専門分野で用いる金属製の調整道具は、木製と違って握り体を握って用いるため、金属自体の重さと指圧のための力との相乗作用により人体の表面のある程度の深さまでの凝りに届いて指圧することが出来ると共に、相乗作用による指圧力によって凝りが逃げようとしても逃がすことなく確実に凝りを指圧することが出来る。【０００６】  しかし調整道具は、その都度凝りの出来た場所によって数種類の中から適した調整道具を選んで用いるため、常に使用中の調整道具を元に戻す動作と数種類の中から適した調整道具を選ぶ動作を治療中は繰り返して行なわなければならず、治療中の調整道具の管理が面倒で調整道具使用上非常に不都合を感じていた。
【課題を解決するための手段】
【０００７】  本考案はこのような不都合を解消し、細部用と標準用と広部用を握り易く而も指圧の治療が容易に行なえるよう組合せて一体とし、治療中調整道具の管理の煩わしさを無くすようにした指圧による筋肉の調整道具を提供せんとするものである。
金属からなり、中央付近を膨らませ両端を中央より細くなるよう曲面にて形成した円柱体からなる握り体の中央に、先端を元端より細くした丸棒からなる本体先端に、先端が曲面としてなる指圧部を設けた標準用指圧棒をＴ字形となるよう突設し、一端に円錐形で先端が標準用指圧棒の指圧部の曲面より小さい曲面とし嘴状としてなる指圧部を設けた細部用指圧棒を突設し、他端に先端が標準用指圧棒の指圧部の曲面より大きい曲面としてなる指圧部を設けた広部用指圧棒を突設して一体とし、指圧部以外の全周表面に滑止を設けると共に、細部用指圧棒の指圧部を標準用指圧棒と反対方向に僅少屈設したものである。【０００８】  尚、標準用指圧棒を握り体の中央にＴ字形となるよう突設するが、細部用指圧棒或は広部用指圧棒側に傾けて設けるようにしても良い。
そして握り体・標準用指圧棒・細部用指圧棒・広部用指圧棒からなる調整道具は金属からなり、表面全体には肌に触れ指圧されても影響のない表面処理を行っている。【０００９】  使用に当たって一般的な治療としては、標準用指圧棒を用い易いように突出させて握り体を握り、標準用指圧棒を用いて凝りを指圧部にて指圧する。
そして指の間や凝りの小さい場合には、細部用指圧棒を用い易いように突出させて握り体を握り、細部用指圧棒を用いて指の間や小さい凝りを指圧部にて指圧する。
又、凝りの大きい場合には、広部用指圧棒を用い易いように突出させて握り体を握り、広部用指圧棒を用いて大きい凝りを指圧部にて指圧する。【００１０】  このようにして指圧を行なうが、いずれの場合も滑止によって握り体をしっかりと握ることが出来るため指圧を確実に行なえると共に、凝りの種類や発生場所によって使用する調整道具の選択や使用済みの調整道具の保管のための煩わしい動作を無くし、単に持ち変えるだけで出来た凝りに対応させて指圧することが出来る。
更に、金属による調整道具の握りを容易とし、加えて三種類の標準用指圧棒・細部用指圧棒・広部用指圧棒を組合せたことによって重量も遥かに重くなって指圧力を増加させるため、指圧部が凝りに十分に当たり凝りを逃がすことなく指圧をより確実に行なうことが出来る。
【考案の効果】
【００１１】  上述の如く本考案の請求項１は、凝りの種類や発生場所によって使用する調整道具の選択や使用済みの調整道具の保管のための煩わしい動作を無くし、単に持ち変えるだけで出来た凝りに対応させて指圧することが出来ると共に、金属による調整道具の握りを容易とし、加えて標準用指圧棒・細部用指圧棒・広部用指圧棒を組合せたことによって重量も重く指圧力を増加させるため、指圧部が凝りに十分に当たり凝りを逃がすことなく指圧を確実に行なうばかりでなく、治療することで起こる、筋の反応（痛がっている、緩んでいるなど）を金属による硬度が、この道具を持つ手に正確に伝えてくれる。そのため、治療の刺激程度や治療の終了時期を正しく判断出来るものである。
請求項２は、滑止によって握り体をしっかりと握ることが出来るため指圧をより確実に行なえる
請求項３は、指の間や小さい凝りの指圧が嘴状のため容易に行なえる。
以上の如く多くの特長があり実用上非常に優れた考案である。
【考案を実施するための最良の形態】
【００１２】  金属からなり、中央付近を膨らませ両先端を中央より細くなるよう曲面にて形成した円柱体からなる握り体の中央に、先端を元端より細くした丸棒からなる本体先端に、先端が曲面としてなる指圧部を設けた標準用指圧棒をＴ字形となるよう突設し、一端に円錐形で先端が標準用指圧棒の指圧部の曲面より小さい曲面とし嘴状としてなる指圧部を設けた細部用指圧棒を突設し、他端に先端が標準用指圧棒の指圧部の曲面より大きい曲面としてなる指圧部を設けた広部用指圧棒を突設して一体とし、指圧部以外の全周表面に滑止を設けたものである。
【実施例１】
【００１３】  図中１は金属からなる調整道具全体を示し、２は円柱体からなる握り体であって、中央付近を膨部３にて膨らませ両端を中央より細くなるよう曲面にて形成し、表面に微細な凹凸からなる滑止４を設けている。
５は標準用指圧棒であって、先端を元端より細くし表面に微細な凹凸からなる滑止４を設けた丸棒からなる本体６先端に、５Ｒの半球の曲面からなる指圧部７を設け、前記握り体２の中央にＴ字形となるよう突設している。
８は円錐形で先端が２Ｒの半球の曲面からなり嘴状とした指圧部９を設けた細部用指圧棒であって、指圧部７と反対方向に僅少折り曲がるよう前記握り体２の一端に突設している。  １０は先端に行くに従い細くなり且８Ｒの半球の曲面からなる指圧部１１を先端に設けた広部用指圧棒であって、前記握り体２の他端に突設している。【００１４】  使用に当たって一般的な治療としては、標凖用指圧棒５を用い易いように突出させて握り体２を握り、標準用指圧棒５を用いて凝りを指圧部７にて指圧する。  そして指の間や凝りの小さい場合には、細部用指圧棒８を用い易いように突出させて握り体２を握り、細部用指圧棒８を用いて指の間や小さい凝りを指圧部９にて指圧する。
又、凝りの大きい場合（例えば尻など）には、広部用指圧棒１０を用い易いように突出させて握り体２を握り、広部用指圧棒１０を用いて大きい凝りを指圧部１１にて指圧する。【００１５】  このようにして指圧を行なうが、いずれの場合も滑止４によって握り体２をしっかりと握ることが出来るため指圧を確実に行なえると共に、凝りの種類や発生場所によって使用する調整道具１の選択や使用済みの調整道具の保管のための煩わしい動作を無くし、単に持ち変えるだけで出来た凝りに対応させて指圧することが出来る。
更に、滑止４によって金属による調整道具１の握りを容易とし、加えて三種類の標準用指圧棒５・細部用指圧棒８・広部用指圧棒１０を組合せたことによって重量も遥かに重くなって指圧力を増加させるため、指圧部７・９・１１が凝りに十分に当たり凝りを逃がすことなく指圧を確実に行なうことが出来る。
【産業上の利用可能性】
【００１６】  凝りなどの除去のための指圧や整骨・整復の治療に用いることが出来る
【図面の簡単な説明】
【００１７】
【図１】  本考案実施例１の正面図である
【図２】  本考案実施例１の平面図である
【図３】  本考案実施例１の右側面図である
【図４】  従来の調整道具の正面図である
【符号の説明】
【００１８】  １  調整道具
２  握り体
３  膨部
４  滑止
５  標準用指圧棒
６  本体
７  指圧棒
８  細部用指圧棒
９  指圧棒
１０  広部用指圧棒
１１  指圧棒
【図１】
0003129267.tif 000003
【図２】
0003129267.tif 000004
【図３】
0003129267.tif 000005
【図４】
0003129267.tif 000006